(57)【要約】      （修正有）【課題】簡素な構成部品でありながら、折り畳み時の操作性と安定性に優れた折り畳み式テーブルを提供する。【解決手段】３本のテーブル脚１０，２０，３０と折り畳み可能なテーブル面４０とを備えたテーブルであって、前記テーブルは、前記テーブル面を折り畳んだ際には、前記３本のテーブル脚で起立し、また、前記３本のテーブル脚は、下側領域(Ｉ)において前記テーブル面に向かって集まり、上側領域(ＩＩ)において、前記テーブル面に向かって前記脚が所要の傾斜にて、互いに離散している。前記３本のテーブル脚のうち2本１０，２０は傾斜リンク機構によって、前記テーブル面に接合され、第３のテーブル脚は下側部分３１及び上側部分（３２）から構成されて、前記上側部分３２は前記第３のテーブル脚の前記上側領域を構成するとともに、前記テーブル面に着脱自在に接合されており、また、前記下側部分に対し回転可能である。【選択図】図１
2008104876.tif 000002
【特許請求の範囲】
【請求項１】
３本のテーブル脚（１０，２０，３０）と折り畳み可能なテーブル面（４０）とを備えたテーブルであって、
前記テーブルは、前記テーブル面を折り畳んだ際には前記３本のテーブル脚で起立し、また、前記３本のテーブル脚は、下側領域(Ｉ)において前記テーブル面に向かって集まるテーブルにおいて、
前記３本のテーブル脚は、上側領域(ＩＩ)において、前記テーブル面に向かって所要の傾斜をもって互いに離散しており、
前記３本のテーブル脚のうち２本（１０，２０）は傾斜リンク機構によって前記テーブル面に接合され、
第３のテーブル脚は下側部分（３１）及び上側部分（３２）から構成されており、
前記上側部分（３２）は、前記第３テーブル脚の前記上側領域を構成すると共に、前記テーブル面に着脱自在に接合されており、さらに、前記下側部分に対し回転可能であることを特徴とする折り畳みテーブル。
【請求項２】
起立式テーブルとして構成され、
前記３本のテーブル脚は、前記テーブル面の最大直径よりも長いことを特徴とした請求項１記載の折り畳みテーブル。
【請求項３】
前記上側部分は、その自重による摺動摩擦によって回転動作に対し固定されることを特徴とした請求項１又は２記載の折り畳みテーブル。
【請求項４】
前記３本のテーブル脚は、接合ジョイント（５０）を介して前記下側領域においてネジ止めされていることを特徴とした請求項１から３の何れか１項に記載の折り畳みテーブル。
【請求項５】
前記３本のテーブル脚は、前記下側領域から前記上側領域までの移行領域(ＩＩＩ)においてのみ屈曲しており、その他の領域では直線であることを特徴とした請求項１から４の何れか１項に記載の折り畳みテーブル。
【請求項６】
前記第３のテーブル脚の前記下側部分は、前記折り畳まれたテーブル面に対し平行に向けられ、前記テーブル面に当接されていることを特徴とした請求項５記載の折り畳みテーブル。
【請求項７】
前記３本のテーブル脚は管状であって、好ましくは、円形断面を有することを特徴とした請求項１から６の何れかに記載の折り畳みテーブル。
【請求項８】
前記第３のテーブル脚の前記上側部分には、ボルト（３６）が回転不能状態に留められており、前記ボルトは前記下側部分に下に向けて突出していることを特徴とした請求項１から７の何れかに記載の折り畳みテーブル。
【請求項９】
前記ボルトを収容するインサート片（37）を、前記第３のテーブル脚の前記下側部分に有し、前記インサート片は弾性変形により前記ボルトに当接する摩擦要素（３８）を凹みに備えていることを特徴とした請求項８記載の折り畳みテーブル。
【請求項１０】
前記第３のテーブル脚の前記上側部分は、その上端に頭部片（３３）を有しており、前記頭部片は、前記第３のテーブル脚の前記上側部分を回転することによって、拡開されたテーブル面裏側の収容部（４３）に回転して嵌まり、弾性的に固定されることを特徴とした請求項１から９の何れかに記載の折り畳みテーブル。
【発明の詳細な説明】
【技術分野】
【０００１】
本発明は、３本のテーブル脚と折り畳み可能なテーブル面とを備えたテーブルに関し、このテーブルは、テーブル面を折り畳んだ場合はその３本のテーブル脚で起立し、前記３本のテーブル脚は下側領域において、テーブル面に向かって並走するものであり、特に、本発明は起立式テーブルに関するものである。
【背景技術】
【０００２】
この種類の起立式テーブルは知られているが、３本のテーブル脚は、テーブル面に到達することはなく、代わりに、中央支柱(middle  column)の基部において集まるものである。テーブル面は、中央支柱により支持されており、その中央のリンク機構により中央支柱の頭部に接合されている。テーブル面は円形で、中央支柱の高さに相当する半径を有しており、このため、３本のテーブル脚は、テーブル面の折り畳みを阻害することはない。
【０００３】
テーブル面を折り畳むと、他の類似のテーブルと共に省スペース的に集積することができる。
【０００４】
この公知のテーブルで問題なのは、中央支柱を備えた全てのテーブルに共通することであるが、その安定性である。これは、中央支柱が比較的太くかつ嵩張っており、この中央支柱をテーブル面に接合するリンク機構が、大きな圧力を分散させるプレートを備えているためである。
【発明の開示】
【発明が解決しようとする課題】
【０００５】
本発明は、上述の種類のテーブルであって、少なくとも同等の安定性を有しながら、簡素であってかつ嵩張りのない構成部品で済み、しかも見栄えの良いものを特定することにある。さらに、折り畳み機能は操作しやすくかつわかりやすいものでなければならない。テーブル面を折り畳むと、他の類似のテーブルと省スペース的に集積できるようにすべきである。
【課題を解決するための手段】
【０００６】
上記の課題は、請求項１に記載の構成を備えたテーブルによって解決される。すなわち、本発明のテーブルは、上側領域において、テーブル面に向かって３本のテーブル脚が所要の傾斜で互いに離散しており、３本のテーブル脚のうち２本は傾斜リンク機構によって、テーブル面に接合されて、第３のテーブル脚は上側部分及び下側部分から構成されており、この上側部分は、第３のテーブル脚の上側領域を構成すると共に、テーブル面に着脱自在に接合されており、また、下側部分に対し回転可能であることに特徴を有する。
【０００７】
本発明のテーブルの好ましい実施形態は、その構成を従属項に記載する。特に好ましい態様は、テーブルを起立式とするものである。また、第３のテーブル脚の上側部分は、その自重による摺動摩擦によって回転しないように固定されることが好ましい。
【発明を実施するための最良の形態】
【０００８】
図面に示す起立式テーブルは、３本のテーブル脚１０、２０、３０と円形テーブル面４０を有している。類似形状の３本のテーブル脚が、互いに相対角度１２０°で設けられており、また、この３本のテーブル脚は下側領域Ｉにおいて、先ずは、床から上方にテーブル面４０に向かって星型形状で所用の角度にて集まり、続いて、上側領域ＩＩにおいて、星型形状で離散するため、テーブル面４０においては個別に、また、相互に間隔を有して構成されている。これらの脚は、下側領域Ｉから上側領域ＩＩへの移行領域ＩＩＩにおいてのみ屈曲しており、その他の場所では直線形状である。この屈曲移行領域ＩＩＩ直下において、これら３本のテーブル脚は、下側領域Ｉの接合ジョイント５０によって互いに接合されている。
【０００９】
２本の脚１０、２０は、傾斜リンク機構（tilting  links）によって、テーブル面４０に接合されており、同機構の構成部分は、脚については符号１３及び２３により、また、テーブル面については、符号４１及び４２により示されている。傾斜リンク機構の軸はそれぞれ互いに高さが揃っている（aliｇned）。
【００１０】
第３のテーブル脚３０は、下側領域Ｉにおいて下側部分３１及び上側部分３２から構成されているため、上側部分３２が、上側領域ＩＩ、移行領域及び下側領域Ｉの一部を含んで構成されている。この上側部分３２は、テーブル面４０に着脱自在に接合されており、下側部分３１に対して回転可能である。
【００１１】
上側部分３２が回転できるため、上側部分３２はテーブル面４０の下で旋回退出でき、このため、図３に図示するように、テーブル面４０は傾斜リンク機構を介して他の２本の脚１０、２０に対し折り畳むことができる。この折り畳んだ位置において、第３のテーブル脚３０の上側部分３２は脚２０の上側領域に当接し、テーブル面４０は第３のテーブル脚に当接（lie）している。テーブルは、依然として３本脚で起立している。
【００１２】
上側部分３２のテーブル面４０に対する着脱自在な連結では、上側部分３２の端部に平らな皿状の支持プレートを備えた頭部片３３が設けられており、その対応部材として、テーブル面４０には、支持プレートの突出するエッジ部に対する切欠を備えたおおよそ馬蹄状の収容部４３が設けられている。テーブル面４０の折り畳み又は拡開のため上側部分３２を回転させると同時に、頭部片３３の支持プレートは収容部４３の切欠部に嵌入し又はこれから抜け出るため、上側部分３２の連結を行い又はこれを解除するための追加のマニュアル操作は不要となる。また、頭部片３３の支持プレートは収容部４３に容易に掛止されることが好ましい。
【００１３】
さらに、３本のテーブル脚１０、２０、３０が、その下側領域Ｉ及び上側領域ＩＩにおいて垂直方向に対し所要の傾斜で集まる角度は、図３に示されるように、折り畳まれた時のテーブル面４０が第３のテーブル脚の下側部分３１に対し平行に向けられるよう選択されることが好ましい。たとえば、垂直方向に対し下側領域Ｉにおいては２１°また上側領域ＩＩにおいては３６°とする場合である。下側領域Ｉ及び上側領域ＩＩの直線部の長さは、例えば、それぞれ８１４．４ｍｍ及び２４７．９ｍｍとし、移行領域ＩＩＩの半径を５０ｍｍとすることができる。
【００１４】
テーブル面４０を折り畳むと、図４で、たとえば、２つのテーブルで図示するように、同種のテーブルを省スペース的に複数集積できる。
【００１５】
次に、図５を参照しつつ、第３のテーブル脚３０の下側部分３１及び上側部分３２の軸支連結（pivoting  connection）について説明する。
【００１６】
下側部分３１及び上側部分３２は、両者ともパイプ状であって、円形断面を有しており、この形状はまた他の２本の脚１０、２０にも適用することが好ましい。３本のテーブル脚はすべて、金属管製である。上側部分３２には、溶着円形ブランク３５がたとえば溶接によって回転不能に嵌められており、また、このブランクにはボルト３６が回転不能に留められて、下側部分３１に下向きに突出している。この部分には、ボルト３６を収容するとともに空隙には弾性変形によりボルト３６に当接（rest）する摩擦要素３８を備えたインサート片３７がある。上側部分３２を回転すると、ボルト３６はインサート片３７とともに回転し、摩擦要素３８に擦れて、このため、上側部分３２の回転動作は、下側部分３１に対する摺動摩擦によって減衰される。減衰作用は、上側部分３２がその自重により、各回転位置に固定されるとしても、容易に動かすことのできる程度が好ましい。このように、上側部分３２は無制限な回転が防止されている。摩擦要素３８には、ポリウレタン等の材料を使用することにより、充分に大きな摩擦力を得ることができる。これに加えて、図５に示すように、ボルト３６には、その周囲に溝を設けることができ、この中に、摩擦要素３８の弾性材料が膨潤（expands）し、更に摩擦力を高めることができる。
【００１７】
これら３本のテーブル脚1０、２０、３０は、接合ジョイント５０によりネジ止めされている。２本のネジ５１が第３のテーブル脚に使用されているのは図５から明らかであるが、これらのネジはまた、第３のテーブル脚の下側部分３１のインサート片３７を固定している。クランプ片３７は、下側部分３１の内壁に対し面一となるように、ネジ５１に対し丸められている。
【００１８】
これら３本のテーブル脚の下側端部には、摺動片１４、２４、３４が設けられている。
【図面の簡単な説明】
【００１９】
【図１】本発明に基づく３本のテーブル脚を備えた起立式テーブルとして構成されたテーブルを、テーブル面から見た斜視図である。
【図２】図１に示すテーブルを、テーブル面の下から見た斜視図である。
【図３】テーブル面を折り畳んだ状態のテーブルを示すものである。
【図４】テーブル面を折り畳んだ状態の同一種類のテーブルを２つ並べて配置した様子を示す図である。
【図５】３本のテーブル脚の接合領域の断面詳細図（第３のテーブル脚断面）である。
【符号の説明】
【００２０】
10  第１のテーブル脚
13  傾斜リンク部
14  摺動片
20  第２のテーブル脚
23  傾斜リンク部
24  摺動片
30  第3のテーブル脚
31  第3のテーブル脚下側部分
32  第3のテーブル脚上側部分
33  頭部片
34  摺動片
35  溶着円形ブランク
36  ボルト
37  インサート片
38  摩擦要素
39  摺動リング
40  テーブル面
41  傾斜リンク部
42  傾斜リンク部
43  収容部
50  接合ジョイント
51  ネジ
I  テーブル脚の下側領域
II テーブル脚の上側領域
III移行領域
【図１】
2008104876.tif 000003
【図２】
2008104876.tif 000004
【図３】
2008104876.tif 000005
【図４】
2008104876.tif 000006
【図５】
2008104876.tif 000007
【外国語明細書】
2008104876.tif 000008
2008104876.tif 000009
2008104876.tif 000010
2008104876.tif 000011
2008104876.tif 000012
2008104876.tif 000013
2008104876.tif 000014
2008104876.tif 000015
2008104876.tif 000016
2008104876.tif 000017
2008104876.tif 000018
2008104876.tif 000019
2008104876.tif 000020
2008104876.tif 000021